(57)【要約】【課題】  フィンの結合安定性を向上するサーフボードを提供する。【解決手段】  サーフボード（１０）の末端の下部に、サーフボード（１０）と一体になるように固定部材（２０）が設けられ、該固定部材（２０）の一端に溝（２２）を有する固定ロッド（２１）が設けられると共に、他端に位置決め溝（２４）を有する固定部（２３）が設けられ、溝（２２）と位置決め溝（２４）が貫通孔（２５）によって連通され、又、固定部（２３）の側に位置決め溝（２４）と連通する斜孔（２６）が形成されると共に、固定部（２３）にフィン（３０）が設置され、フィン（３０）の一端に位置決め溝（２４）に挿入されると共に、貫通孔（２５）に対する螺旋孔（３２）を有する位置決めブロック（３１）が設けられると共に、該位置決めブロック（３１）の両側に斜孔（２６）に対する孔（３３）が形成され、ボルト（４０）が貫通孔（２５）を貫通し、螺旋孔（３２）と螺合すると共に、螺旋ロッド（４１）が斜孔（２６）を貫通して、孔（３３）に掛かることにより、位置決めブロック（３１）が固定部（２３）の位置決め溝（２４）に固定されることを特徴とする。【選択図】  図１
0003102763.tif 000002
【実用新案登録請求の範囲】
【請求項１】
サーフボード（１０）の末端の下部に、サーフボード（１０）と一体になるように固定部材（２０）が設けられ、該固定部材（２０）の一端に溝（２２）を有する固定ロッド（２１）が設けられると共に、他端に位置決め溝（２４）を有する固定部（２３）が設けられ、溝（２２）と位置決め溝（２４）が貫通孔（２５）によって連通され、又、固定部（２３）の側に位置決め溝（２４）と連通する斜孔（２６）が形成されると共に、固定部（２３）にフィン（３０）が設置され、フィン（３０）の一端に位置決め溝（２４）に挿入されると共に、貫通孔（２５）に対する螺旋孔（３２）を有する位置決めブロック（３１）が設けられると共に、該位置決めブロック（３１）の両側に斜孔（２６）に対する孔（３３）が形成され、ボルト（４０）が貫通孔（２５）を貫通し螺旋孔（３２）と螺合すると共に、螺旋ロッド（４１）が斜孔（２６）を貫通して孔（３３）に掛かることにより、位置決めブロック（３１）が固定部（２３）の位置決め溝（２４）に固定されることを特徴とするサーフボード。
【請求項２】
前記固定ロッド（２１）の一端とサーフボード（１０）の上面は同じ平面に位置されることを特徴とする請求項１に記載のサーフボード。
【請求項３】
前記斜孔（２６）は二個であると共に、固定部（２３）の対角側に形成されることを特徴とする請求項１に記載のサーフボード。
【考案の詳細な説明】
【技術分野】
【０００１】
本考案は、特にフィンの結合安定性を向上するサーフボードに関するものである。
【背景技術】
【０００２】
図４及び図５に示すように、従来のサーフボード（５０）の末端下部に固定部材（５１）が設けられ、固定部材（５１）の両端に取付溝（５２）が形成されると共に、異なる取付溝（５２）の相異側に斜孔（５３）が形成され、フィン（５４）の一側に取付孔（５２）に挿入される取付ブロック（５５）が設けられると共に、該取付溝（５２）の斜孔（５３）と対応する孔（５６）が形成され、螺旋ロッド（５７）が斜孔（５３）と孔（５６）に螺設されることにより、フィン（５４）をサーフボード（５０）に固定する。
【考案の開示】
【考案が解決しようとする課題】
【０００３】
しかしながら、上記サーフボードは以下のような欠点を有する。
結合不良：従来のサーフボードは二個の螺旋ロッドによってフィンを固定するため、サーフボードを使用する場合、波の衝撃によりフィンが弛んでしまう問題がある。
強度不良：従来のサーフボードとフィンは取付溝と取付ブロックの結合によって結合するため、受けた外力を取付ブロックに集中するので、取付ブロックが断裂しやすい。
そこで、案出されたのが本考案であって、フィンの結合安定性を向上するサーフボードを提供することを目的としている。
【課題を解決するための手段】
【０００４】
本願の請求項１の考案は、サーフボード（１０）の末端の下部に、サーフボード（１０）と一体になるように固定部材（２０）が設けられ、該固定部材（２０）の一端に溝（２２）を有する固定ロッド（２１）が設けられると共に、他端に位置決め溝（２４）を有する固定部（２３）が設けられ、溝（２２）と位置決め溝（２４）が貫通孔（２５）によって連通され、又、固定部（２３）の側に位置決め溝（２４）と連通する斜孔（２６）が形成されると共に、固定部（２３）にフィン（３０）が設置され、フィン（３０）の一端に位置決め溝（２４）に挿入されると共に、貫通孔（２５）に対する螺旋孔（３２）を有する位置決めブロック（３１）が設けられると共に、該位置決めブロック（３１）の両側に斜孔（２６）に対する孔（３３）が形成され、ボルト（４０）が貫通孔（２５）を貫通し螺旋孔（３２）と螺合すると共に、螺旋ロッド（４１）が斜孔（２６）を貫通して孔（３３）に掛かることにより、位置決めブロック（３１）が固定部（２３）の位置決め溝（２４）に固定されることを特徴とするサーフボード及び、
本願の請求項２の考案は、前記固定ロッド（２１）の一端とサーフボード（１０）の上面は同じ平面に位置されることを特徴とする請求項１に記載のサーフボード及び、
本願の請求項３の考案は、前記斜孔（２６）は二個であると共に、固定部（２３）の対角側に形成されることを特徴とする請求項１に記載のサーフボード、を提供する。
【考案の効果】
【０００５】
本考案は上記の課題を解決するものであり、ボルトと螺旋ロッドによって三つの箇所を固定することにより、サーフボードとフィンとの結合効果を向上することができ、又、より長い位置決め溝と位置決めブロックにより外力を受けた際の衝撃が分散されることにより、位置決めブロックの断裂を防止できる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１は本考案に係るサーフボードの一部分解斜視図であり、図２は本考案に係るサーフボードの一部の縦方向断面図であり、図３は本考案に係るサーフボードの一部の横方向断面図である。
図１乃至図３に示すように、本考案に係るサーフボード（１０）は末端の下部に、サーフボード（１０）と一体になるように固定部材（２０）が設けられ、該固定部材（２０）の一端に溝（２２）を有する固定ロッド（２１）が設けられると共に、他端に位置決め溝（２４）を有する固定部（２３）が設けられ、溝（２２）と位置決め溝（２４）が貫通孔（２５）によって連通され、又、固定部（２３）の対角側に位置決め溝（２４）と連通する斜孔（２６）が形成されると共に、固定部（２３）にフィン（３０）が設置され、フィン（３０）の一端に位置決め溝（２４）に挿入されると共に、貫通孔（２５）に対する螺旋孔（３２）を有する位置決めブロック（３１）が設けられると共に、該位置決めブロック（３１）の両側に斜孔（２６）に対する孔（３３）が形成され、ボルト（４０）が貫通孔（２５）を貫通し、螺旋孔（３２）と螺合すると共に、螺旋ロッド（４１）が斜孔（２６）を貫通して、孔（３３）に掛かることにより、位置決めブロック（３１）が固定部（２３）の位置決め溝（２４）に固定される。
【産業上の利用可能性】
【０００７】
本考案は上記の構成を有するので、以下のような効果を達成できる。
優れた結合効果を達成できる：ボルトと螺旋ロッドによって三つの箇所を固定することにより、サーフボードとフィンとの結合効果を向上する。
構造強度が良い：より長い位置決め溝と位置決めブロックにより、外力を受けた際の衝撃が分散されることにより、位置決めブロックの断裂を防止できる。
【図面の簡単な説明】
【０００８】
【図１】本考案に係るサーフボードの一部分解斜視図である。
【図２】本考案に係るサーフボードの一部の縦方向断面図である。
【図３】本考案に係るサーフボードの一部の横方向断面図である。
【図４】従来のサーフボードの一部分解斜視図である。
【図５】従来のサーフボードの一部断面図である。
【符号の説明】
【０００９】
１０  サーフボード
２０  固定部材
２１  固定ロッド
２２  溝
２３  固定部
２４  位置決め溝
２５  貫通孔
２６  斜孔
３０  フィン
３１  位置決めブロック
３２  螺旋孔
３３  孔
４０  ボルト
４１  螺旋ロッド
５０  サーフボード
５１  固定部材
５２  取付溝
５３  斜孔
５４  フィン
５５  取付ブロック
５６  孔
５７  螺旋ロッド
【図１】
0003102763.tif 000003
【図２】
0003102763.tif 000004
【図３】
0003102763.tif 000005
【図４】
0003102763.tif 000006
【図５】
0003102763.tif 000007